(57)【特許請求の範囲】
【請求項１】
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、前記移動体の現在位置を示す現在位置情報を前記位置関連情報として取得し、
前記読出手段は、
前記移動体の現在位置情報を送信し、当該送信した前記移動体の現在位置情報に対して所定の条件を満たす位置情報が対応付けられている前記認証用情報を受信し、
前記認証用情報を受信した後、前記移動体の現在位置情報を送信することを一時停止し、
前記移動体の現在位置情報が所定の動作再開条件を満たした場合に、前記移動体の現在位置情報を送信することを再開する、
通信装置。
【請求項２】
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、前記移動体の現在位置を示す現在位置情報を前記位置関連情報として取得し、
前記読出手段は、
前記移動体の現在位置情報を送信し、当該送信した前記移動体の現在位置情報に対して所定の条件を満たす位置情報が対応付けられている前記認証用情報を受信し、
前記移動体の速度情報に基づいて、前記移動体が動いているか又は停止しているかを検出し、
前記移動体が動いていることを検出した場合に、前記移動体の現在位置情報を送信することを一時停止し、
前記移動体が停止していることを検出した場合に、前記移動体の現在位置情報を送信することを再開する、
通信装置。
【請求項３】
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、前記移動体が移動すべきルートを示すルート情報を前記位置関連情報として取得し、
前記読出手段は、前記ルート情報が示すルートを前記移動体が走行する前に、前記ルート情報が示すルートの始点から終点までを含むエリアに対して所定の条件を満たす位置情報が対応付けられている前記認証用情報を一括して読み出す、
通信装置。
【請求項４】
前記測定データ取得手段は、
前記ルート情報と前記移動体の現在位置情報に基づいて、前記読み出した認証用情報の中から前記無線通信に用いる前記認証用情報を絞り込む、
請求項３に記載の通信装置。
【請求項５】
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
前記読出手段が読み出した認証用情報を一時的に記憶する一時記憶領域と、
前記スマートメータの測定データが取得された後、当該測定データを取得するために利用した前記認証用情報を前記一時記憶領域から削除する削除手段と、
を備える通信装置。
【請求項６】
前記削除手段は、
前記スマートメータの測定データが取得できたタイミングで、当該スマートメータの前記認証用情報を前記一時記憶領域から削除する、
請求項５に記載の通信装置。
【請求項７】
前記削除手段は、
前記スマートメータの測定データを外部装置に送信した後、当該外部装置からデータ受領確認信号を受信した場合に、前記一時記憶領域から当該スマートメータの前記認証用情報を削除する、
請求項５に記載の通信装置。
【請求項８】
前記削除手段は、
前記移動体の位置情報に基づく前記認証用情報の削除条件を満たすか否かを判定し、前記削除条件を満たす場合、前記一時記憶領域に記憶されている前記認証用情報を削除する、
請求項５に記載の通信装置。
【請求項９】
前記削除手段は、
前記認証用情報に対応付けられた位置情報と、前記移動体の現在位置情報とに基づいて、前記一時記憶領域に記憶されている前記認証用情報の削除条件を満たすか否かを判断する、
請求項８に記載の通信装置。
【請求項１０】
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、
前記移動体の速度情報に基づいて、前記移動体が停止したか否かを検出し、
前記移動体が停止したことを検出した場合に、前記位置関連情報を取得する、
通信装置。
【請求項１１】
前記位置関連情報取得手段は、ＧＰＳ（Global Positioning System）を用いて前記移動体の現在位置情報を取得する、
請求項１乃至１０のいずれか１項に記載の通信装置。
【請求項１２】
前記移動体はゴミ収集車である、
請求項１乃至１１のいずれか１項に記載の通信装置。
【請求項１３】
移動体に設けられる通信装置が、
前記移動体の位置に関する位置関連情報として、前記移動体の現在位置を示す現在位置情報を取得し、
前記移動体の現在位置情報を送信し、
当該送信した前記移動体の現在位置情報に対して所定の条件を満たす位置情報が対応付けられている、スマートメータとの無線通信における認証用情報を受信し、
前記認証用情報を用いて無線通信を行い、当該認証用情報に対応するスマートメータの測定データを取得する、
ことを含み、
前記通信装置が、
前記認証用情報を受信した後、前記移動体の現在位置情報を送信することを一時停止し、
前記移動体の現在位置情報が所定の動作再開条件を満たした場合に、前記移動体の現在位置情報を送信することを再開する、
ことを更に含むデータ収集方法。
【請求項１４】
移動体に設けられる通信装置が、
前記移動体の位置に関する位置関連情報として、前記移動体の現在位置を示す現在位置情報を取得し、
前記移動体の現在位置情報を送信し、
当該送信した前記移動体の現在位置情報に対して所定の条件を満たす位置情報が対応付けられている、スマートメータとの無線通信における認証用情報を受信し、
前記認証用情報を用いて無線通信を行い、当該認証用情報に対応するスマートメータの測定データを取得する、
ことを含み、
前記通信装置が、
前記移動体の速度情報に基づいて、前記移動体が動いているか又は停止しているかを検出し、
前記移動体が動いていることを検出した場合に、前記移動体の現在位置情報を送信することを一時停止し、
前記移動体が停止していることを検出した場合に、前記移動体の現在位置情報を送信することを再開する、
ことを更に含むデータ収集方法。
【請求項１５】
移動体に設けられる通信装置が、
前記移動体の位置に関する位置関連情報として、前記移動体が移動すべきルートを示すルート情報を取得し、
前記ルート情報が示すルートを前記移動体が走行する前に、前記ルート情報が示すルートの始点から終点までを含むエリアに対して所定の条件を満たす位置情報が対応付けられている、スマートメータとの無線通信における認証用情報を一括して読み出し、
前記認証用情報を用いて無線通信を行い、当該認証用情報に対応するスマートメータの測定データを取得する、
ことを含むデータ収集方法。
【請求項１６】
移動体に設けられる通信装置が、
前記移動体の位置に関する位置関連情報を取得し、
前記位置関連情報に基づいて、スマートメータとの無線通信における認証用情報を読み出し、
前記読み出した認証用情報を一時記憶領域に一時的に記憶し、
前記認証用情報を用いて無線通信を行い、当該認証用情報に対応するスマートメータの測定データを取得し、
前記スマートメータの測定データが取得された後、当該測定データを取得するために利用した前記認証用情報を前記一時記憶領域から削除する、
ことを含むデータ収集方法。
【請求項１７】
移動体に設けられる通信装置が、
前記移動体の速度情報に基づいて、前記移動体が停止したか否かを検出し、
前記移動体が停止したことを検出した場合に、前記移動体の位置に関する位置関連情報を取得し、
前記位置関連情報に基づいて、スマートメータとの無線通信における認証用情報を読み出し、
前記認証用情報を用いて無線通信を行い、当該認証用情報に対応するスマートメータの測定データを取得する、
ことを含むデータ収集方法。
【請求項１８】
移動体に設けられる通信装置を、
前記移動体の位置に関する位置関連情報として、前記移動体の現在位置を示す現在位置情報を取得する位置関連情報取得手段、
前記移動体の現在位置情報を送信する手段、
当該送信した前記移動体の現在位置情報に対して所定の条件を満たす位置情報が対応付けられている、スマートメータとの無線通信における認証用情報を受信する手段、
前記認証用情報を用いて無線通信を行い、当該認証用情報に対応するスマートメータの測定データを取得する測定データ取得手段、
前記認証用情報を受信した後、前記移動体の現在位置情報を送信することを一時停止する手段、
前記移動体の現在位置情報が所定の動作再開条件を満たした場合に、前記移動体の現在位置情報を送信することを再開する手段、
として機能させるためのプログラム。
【請求項１９】
移動体に設けられる通信装置を、
前記移動体の位置に関する位置関連情報として、前記移動体の現在位置を示す現在位置情報を取得する位置関連情報取得手段、
前記移動体の現在位置情報を送信する手段、
当該送信した前記移動体の現在位置情報に対して所定の条件を満たす位置情報が対応付けられている、スマートメータとの無線通信における認証用情報を受信する手段、
前記移動体の速度情報に基づいて、前記移動体が動いているか又は停止しているかを検出する手段、
前記移動体が動いていることを検出した場合に、前記移動体の現在位置情報を送信することを一時停止する手段、
前記移動体が停止していることを検出した場合に、前記移動体の現在位置情報を送信することを再開する手段、
として機能させるためのプログラム。
【請求項２０】
移動体に設けられる通信装置を、
前記移動体の位置に関する位置関連情報として、前記移動体が移動すべきルートを示すルート情報を取得する位置関連情報取得手段、
前記ルート情報が示すルートを前記移動体が走行する前に、前記ルート情報が示すルートの始点から終点までを含むエリアに対して所定の条件を満たす位置情報が対応付けられている、スマートメータとの無線通信における認証用情報を一括して読み出す読出手段、
前記認証用情報を用いて無線通信を行い、当該認証用情報に対応するスマートメータの測定データを取得する測定データ取得手段、
として機能させるためのプログラム。
【請求項２１】
移動体に設けられる通信装置を、
前記移動体の位置に関する位置関連情報を取得する位置関連情報取得手段、
前記位置関連情報に基づいて、スマートメータとの無線通信における認証用情報を読み出す読出手段、
前記読出手段が読み出した認証用情報を一時記憶領域に一時的に記憶する手段、
前記認証用情報を用いて無線通信を行い、当該認証用情報に対応するスマートメータの測定データを取得する測定データ取得手段、
前記スマートメータの測定データが取得された後、当該測定データを取得するために利用した前記認証用情報を前記一時記憶領域から削除する削除手段、
として機能させるためのプログラム。
【請求項２２】
移動体に設けられる通信装置を、
前記移動体の速度情報に基づいて、前記移動体が停止したか否かを検出する手段、
前記移動体が停止したことを検出した場合に、前記移動体の位置に関する位置関連情報を取得する位置関連情報取得手段、
前記位置関連情報に基づいて、スマートメータとの無線通信における認証用情報を読み出す読出手段、
前記認証用情報を用いて無線通信を行い、当該認証用情報に対応するスマートメータの測定データを取得する測定データ取得手段、
として機能させるためのプログラム。
【請求項２３】
通信装置と、サーバ装置とを有する安否確認システムであって、
前記通信装置は、
移動体の位置に関する位置関連情報として、前記移動体の現在位置を示す現在位置情報を取得する位置関連情報取得手段と、
前記移動体の現在位置情報を送信する手段と、
当該送信した前記移動体の現在位置情報に対して所定の条件を満たす位置情報が対応付けられている、スマートメータとの無線通信における認証用情報を受信する手段と、
前記認証用情報を受信した後、前記移動体の現在位置情報を送信することを一時停止する手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、
前記移動体の現在位置情報が所定の動作再開条件を満たした場合に、前記移動体の現在位置情報を送信することを再開する手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システム。
【請求項２４】
通信装置と、サーバ装置とを有する安否確認システムであって、
前記通信装置は、
移動体の位置に関する位置関連情報として、前記移動体の現在位置を示す現在位置情報を取得する位置関連情報取得手段と、
前記移動体の現在位置情報を送信する手段と、
当該送信した前記移動体の現在位置情報に対して所定の条件を満たす位置情報が対応付けられている、スマートメータとの無線通信における認証用情報を受信する手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、
前記移動体の速度情報に基づいて、前記移動体が動いているか又は停止しているかを検出する手段と、
前記移動体が動いていることを検出した場合に、前記移動体の現在位置情報を送信することを一時停止する手段と、
前記移動体が停止していることを検出した場合に、前記移動体の現在位置情報を送信することを再開する手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システム。
【請求項２５】
通信装置と、サーバ装置とを有する安否確認システムであって、
前記通信装置は、
移動体の位置に関する位置関連情報として、前記移動体が移動すべきルートを示すルート情報を取得する位置関連情報取得手段と、
前記ルート情報が示すルートを前記移動体が走行する前に、前記ルート情報が示すルートの始点から終点までを含むエリアに対して所定の条件を満たす位置情報が対応付けられている、スマートメータとの無線通信における認証用情報を一括して読み出す読出手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システム。
【請求項２６】
通信装置と、サーバ装置とを有する安否確認システムであって、
前記通信装置は、
移動体の位置に関する位置関連情報を取得する位置関連情報取得手段と、
前記位置関連情報に基づいて、スマートメータとの無線通信における認証用情報を読み出す読出手段と、
前記読出手段が読み出した認証用情報を一時的に記憶する一時記憶領域と、
前記認証用情報を用いて無線通信を行い、当該認証用情報に対応するスマートメータの測定データを取得する測定データ取得手段と、
前記スマートメータの測定データが取得された後、当該測定データを取得するために利用した前記認証用情報を前記一時記憶領域から削除する削除手段と、
前記測定データを、当該スマートメータの識別情報と対応付けて外部装置に送信する測定データ送信手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システム。
【請求項２７】
通信装置と、サーバ装置とを有する安否確認システムであって、
前記通信装置は、
移動体の速度情報に基づいて前記移動体が停止したか否かを検出し、前記移動体が停止したことを検出した場合に、前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システム。
【発明の詳細な説明】
【技術分野】
【０００１】
本発明は、通信装置、データ収集方法、プログラム、および安否確認システムに関する。
【背景技術】
【０００２】
スマートメータで測定される測定データを取得する経路の１つとして、スマートメータと、通信機能を備える電子機器（例えば、ＨＥＭＳ（Home Energy Management System）機器など）との間を結ぶ通信経路がある。ホームゲートウェイ装置などの通信機器は、例えば９２０ＭＨｚ帯のＷｉ−ＳＵＮ（Wireless Smart Utility Network）といった通信方式を用いて、スマートメータの測定データを上述の通信経路を介して取得することができる。なお、上述の通信機能を備える電子機器がスマートメータと通信するためには、スマートメータ毎に発行される認証用情報を用いた認証処理が必要となる。
【０００３】
下記特許文献１は、分電盤をＢルート（スマートメータと、通信機能を備える電子機器との間を結ぶ通信経路）経由でスマートメータと通信可能な状態とする技術が開示されている。特許文献１の技術において、分電盤は通信装置を備えている。この通信装置は、入力機器（汎用ＰＣ（Personal Computer）やタブレット端末など）或いは当該入力機器と通信可能に接続された外部サーバからスマートメータの認証用情報を取得し、当該取得した認証用情報を分電盤に備えられた記憶装置に記憶する。なお、スマートメータの認証用情報が外部サーバから入力機器経由で取得される場合、入力機器に入力された情報を用いて必要な認証用情報が外部サーバから読み出される。具体的には、認証用情報はユーザ識別情報（例えば、住所や氏名など）と予め紐付けられており、入力機器に入力されたユーザ識別情報を用いて分電盤の通信装置に送信すべき認証用情報が特定される。これにより、分電盤は、記憶装置に設定された認証用情報を用いて、スマートメータとＢルート経由で通信が可能となる。
【０００４】
また、スマートメータから得られる測定データを用いた更なるサービスも考えられている。例えば、下記特許文献２には、サービス契約者の自宅に設置されたスマートメータから得られる測定データの変動幅に基づいて、当該サービス契約者の安否を推定する安否確認サービスが開示されている。
【０００５】
なお、下記特許文献３および特許文献４は、ゴミ収集車の現在位置を取得し、ゴミ収集業務に活用することを開示している文献である。
【先行技術文献】
【特許文献】
【０００６】
【特許文献１】国際公開公報第２０１５／０４５３４５号
【特許文献２】特開２０１５−００１８７８号公報
【特許文献３】特開２００８−０１５９９１号公報
【特許文献４】特開２００４−１３１２２５号公報
【発明の概要】
【発明が解決しようとする課題】
【０００７】
特許文献２で開示されるような安否確認サービスでは、サービス利用者（契約者）のスマートメータの測定データを定期的にもれなく収集することが要求される。ここで、スマートメータの測定データを、スマートメータと通信機能を備える電子機器との間を結ぶ通信経路を介して取得する場合、サービス利用者は、ＨＥＭＳ機器（ＨＥＭＳ対応のホームゲートウェイ装置など）を導入し、当該ＨＥＭＳ機器をスマートメータと通信可能な状態にするための事前作業を行う必要がある。この作業は、認証用情報を取得するまでの電力会社との手続が煩雑である、及び、ＨＥＭＳ機器の設定が電気機器の取り扱いに不慣れな人物にとっては簡単ではない、といった理由で、手間となる。
【０００８】
本発明の目的は、上述したような課題を解決する技術を提供することにある。
【課題を解決するための手段】
【０００９】
本発明によれば、
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、前記移動体の現在位置を示す現在位置情報を前記位置関連情報として取得し、
前記読出手段は、
前記移動体の現在位置情報を送信し、当該送信した前記移動体の現在位置情報に対して所定の条件を満たす位置情報が対応付けられている前記認証用情報を受信し、
前記認証用情報を受信した後、前記移動体の現在位置情報を送信することを一時停止し、
前記移動体の現在位置情報が所定の動作再開条件を満たした場合に、前記移動体の現在位置情報を送信することを再開する、
通信装置が提供される。
また、本発明によれば、
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、前記移動体の現在位置を示す現在位置情報を前記位置関連情報として取得し、
前記読出手段は、
前記移動体の現在位置情報を送信し、当該送信した前記移動体の現在位置情報に対して所定の条件を満たす位置情報が対応付けられている前記認証用情報を受信し、
前記移動体の速度情報に基づいて、前記移動体が動いているか又は停止しているかを検出し、
前記移動体が動いていることを検出した場合に、前記移動体の現在位置情報を送信することを一時停止し、
前記移動体が停止していることを検出した場合に、前記移動体の現在位置情報を送信することを再開する、
通信装置が提供される。
また、本発明によれば、
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、前記移動体が移動すべきルートを示すルート情報を前記位置関連情報として取得し、
前記読出手段は、前記ルート情報が示すルートを前記移動体が走行する前に、前記ルート情報が示すルートの始点から終点までを含むエリアに対して所定の条件を満たす位置情報が対応付けられている前記認証用情報を一括して読み出す、
通信装置が提供される。
また、本発明によれば、
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
前記読出手段が読み出した認証用情報を一時的に記憶する一時記憶領域と、
前記スマートメータの測定データが取得された後、当該測定データを取得するために利用した前記認証用情報を前記一時記憶領域から削除する削除手段と、
を備える通信装置が提供される。
また、本発明によれば、
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備え、
前記位置関連情報取得手段は、
前記移動体の速度情報に基づいて、前記移動体が停止したか否かを検出し、
前記移動体が停止したことを検出した場合に、前記位置関連情報を取得する、
通信装置が提供される。
【００１０】
本発明によれば、
移動体に設けられる通信装置が、
前記移動体の位置に関する位置関連情報として、前記移動体の現在位置を示す現在位置情報を取得し、
前記移動体の現在位置情報を送信し、
当該送信した前記移動体の現在位置情報に対して所定の条件を満たす位置情報が対応付けられている、スマートメータとの無線通信における認証用情報を受信し、
前記認証用情報を用いて無線通信を行い、当該認証用情報に対応するスマートメータの測定データを取得する、
ことを含み、
前記通信装置が、
前記認証用情報を受信した後、前記移動体の現在位置情報を送信することを一時停止し、
前記移動体の現在位置情報が所定の動作再開条件を満たした場合に、前記移動体の現在位置情報を送信することを再開する、
ことを更に含むデータ収集方法が提供される。
また、本発明によれば、
移動体に設けられる通信装置が、
前記移動体の位置に関する位置関連情報として、前記移動体の現在位置を示す現在位置情報を取得し、
前記移動体の現在位置情報を送信し、
当該送信した前記移動体の現在位置情報に対して所定の条件を満たす位置情報が対応付けられている、スマートメータとの無線通信における認証用情報を受信し、
前記認証用情報を用いて無線通信を行い、当該認証用情報に対応するスマートメータの測定データを取得する、
ことを含み、
前記通信装置が、
前記移動体の速度情報に基づいて、前記移動体が動いているか又は停止しているかを検出し、
前記移動体が動いていることを検出した場合に、前記移動体の現在位置情報を送信することを一時停止し、
前記移動体が停止していることを検出した場合に、前記移動体の現在位置情報を送信することを再開する、
ことを更に含むデータ収集方法が提供される。
また、本発明によれば、
移動体に設けられる通信装置が、
前記移動体の位置に関する位置関連情報として、前記移動体が移動すべきルートを示すルート情報を取得し、
前記ルート情報が示すルートを前記移動体が走行する前に、前記ルート情報が示すルートの始点から終点までを含むエリアに対して所定の条件を満たす位置情報が対応付けられている、スマートメータとの無線通信における認証用情報を一括して読み出し、
前記認証用情報を用いて無線通信を行い、当該認証用情報に対応するスマートメータの測定データを取得する、
ことを含むデータ収集方法が提供される。
また、本発明によれば、
移動体に設けられる通信装置が、
前記移動体の位置に関する位置関連情報を取得し、
前記位置関連情報に基づいて、スマートメータとの無線通信における認証用情報を読み出し、
前記読み出した認証用情報を一時記憶領域に一時的に記憶し、
前記認証用情報を用いて無線通信を行い、当該認証用情報に対応するスマートメータの測定データを取得し、
前記スマートメータの測定データが取得された後、当該測定データを取得するために利用した前記認証用情報を前記一時記憶領域から削除する、
ことを含むデータ収集方法が提供される。
また、本発明によれば、
移動体に設けられる通信装置が、
前記移動体の速度情報に基づいて、前記移動体が停止したか否かを検出し、
前記移動体が停止したことを検出した場合に、前記移動体の位置に関する位置関連情報を取得し、
前記位置関連情報に基づいて、スマートメータとの無線通信における認証用情報を読み出し、
前記認証用情報を用いて無線通信を行い、当該認証用情報に対応するスマートメータの測定データを取得する、
ことを含むデータ収集方法が提供される。
【００１１】
本発明によれば、
移動体に設けられる通信装置を、
前記移動体の位置に関する位置関連情報として、前記移動体の現在位置を示す現在位置情報を取得する位置関連情報取得手段、
前記移動体の現在位置情報を送信する手段、
当該送信した前記移動体の現在位置情報に対して所定の条件を満たす位置情報が対応付けられている、スマートメータとの無線通信における認証用情報を受信する手段、
前記認証用情報を用いて無線通信を行い、当該認証用情報に対応するスマートメータの測定データを取得する測定データ取得手段、
前記認証用情報を受信した後、前記移動体の現在位置情報を送信することを一時停止する手段、
前記移動体の現在位置情報が所定の動作再開条件を満たした場合に、前記移動体の現在位置情報を送信することを再開する手段、
として機能させるためのプログラムが提供される。
また、本発明によれば、
移動体に設けられる通信装置を、
前記移動体の位置に関する位置関連情報として、前記移動体の現在位置を示す現在位置情報を取得する位置関連情報取得手段、
前記移動体の現在位置情報を送信する手段、
当該送信した前記移動体の現在位置情報に対して所定の条件を満たす位置情報が対応付けられている、スマートメータとの無線通信における認証用情報を受信する手段、
前記移動体の速度情報に基づいて、前記移動体が動いているか又は停止しているかを検出する手段、
前記移動体が動いていることを検出した場合に、前記移動体の現在位置情報を送信することを一時停止する手段、
前記移動体が停止していることを検出した場合に、前記移動体の現在位置情報を送信することを再開する手段、
として機能させるためのプログラムが提供される。
また、本発明によれば、
移動体に設けられる通信装置を、
前記移動体の位置に関する位置関連情報として、前記移動体が移動すべきルートを示すルート情報を取得する位置関連情報取得手段、
前記ルート情報が示すルートを前記移動体が走行する前に、前記ルート情報が示すルートの始点から終点までを含むエリアに対して所定の条件を満たす位置情報が対応付けられている、スマートメータとの無線通信における認証用情報を一括して読み出す読出手段、
前記認証用情報を用いて無線通信を行い、当該認証用情報に対応するスマートメータの測定データを取得する測定データ取得手段、
として機能させるためのプログラムが提供される。
また、本発明によれば、
移動体に設けられる通信装置を、
前記移動体の位置に関する位置関連情報を取得する位置関連情報取得手段、
前記位置関連情報に基づいて、スマートメータとの無線通信における認証用情報を読み出す読出手段、
前記読出手段が読み出した認証用情報を一時記憶領域に一時的に記憶する手段、
前記認証用情報を用いて無線通信を行い、当該認証用情報に対応するスマートメータの測定データを取得する測定データ取得手段、
前記スマートメータの測定データが取得された後、当該測定データを取得するために利用した前記認証用情報を前記一時記憶領域から削除する削除手段、
として機能させるためのプログラムが提供される。
また、本発明によれば、
移動体に設けられる通信装置を、
前記移動体の速度情報に基づいて、前記移動体が停止したか否かを検出する手段、
前記移動体が停止したことを検出した場合に、前記移動体の位置に関する位置関連情報を取得する位置関連情報取得手段、
前記位置関連情報に基づいて、スマートメータとの無線通信における認証用情報を読み出す読出手段、
前記認証用情報を用いて無線通信を行い、当該認証用情報に対応するスマートメータの測定データを取得する測定データ取得手段、
として機能させるためのプログラムが提供される。
【００１２】
本発明によれば、
通信装置と、サーバ装置とを有する安否確認システムであって、
前記通信装置は、
移動体の位置に関する位置関連情報として、前記移動体の現在位置を示す現在位置情報を取得する位置関連情報取得手段と、
前記移動体の現在位置情報を送信する手段と、
当該送信した前記移動体の現在位置情報に対して所定の条件を満たす位置情報が対応付けられている、スマートメータとの無線通信における認証用情報を受信する手段と、
前記認証用情報を受信した後、前記移動体の現在位置情報を送信することを一時停止する手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、
前記移動体の現在位置情報が所定の動作再開条件を満たした場合に、前記移動体の現在位置情報を送信することを再開する手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システムが提供される。
また、本発明によれば、
通信装置と、サーバ装置とを有する安否確認システムであって、
前記通信装置は、
移動体の位置に関する位置関連情報として、前記移動体の現在位置を示す現在位置情報を取得する位置関連情報取得手段と、
前記移動体の現在位置情報を送信する手段と、
当該送信した前記移動体の現在位置情報に対して所定の条件を満たす位置情報が対応付けられている、スマートメータとの無線通信における認証用情報を受信する手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、
前記移動体の速度情報に基づいて、前記移動体が動いているか又は停止しているかを検出する手段と、
前記移動体が動いていることを検出した場合に、前記移動体の現在位置情報を送信することを一時停止する手段と、
前記移動体が停止していることを検出した場合に、前記移動体の現在位置情報を送信することを再開する手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システムが提供される。
また、本発明によれば、
通信装置と、サーバ装置とを有する安否確認システムであって、
前記通信装置は、
移動体の位置に関する位置関連情報として、前記移動体が移動すべきルートを示すルート情報を取得する位置関連情報取得手段と、
前記ルート情報が示すルートを前記移動体が走行する前に、前記ルート情報が示すルートの始点から終点までを含むエリアに対して所定の条件を満たす位置情報が対応付けられている、スマートメータとの無線通信における認証用情報を一括して読み出す読出手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システムが提供される。
また、本発明によれば、
通信装置と、サーバ装置とを有する安否確認システムであって、
前記通信装置は、
移動体の位置に関する位置関連情報を取得する位置関連情報取得手段と、
前記位置関連情報に基づいて、スマートメータとの無線通信における認証用情報を読み出す読出手段と、
前記読出手段が読み出した認証用情報を一時的に記憶する一時記憶領域と、
前記認証用情報を用いて無線通信を行い、当該認証用情報に対応するスマートメータの測定データを取得する測定データ取得手段と、
前記スマートメータの測定データが取得された後、当該測定データを取得するために利用した前記認証用情報を前記一時記憶領域から削除する削除手段と、
前記測定データを、当該スマートメータの識別情報と対応付けて外部装置に送信する測定データ送信手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システムが提供される。
また、本発明によれば、
通信装置と、サーバ装置とを有する安否確認システムであって、
前記通信装置は、
移動体の速度情報に基づいて前記移動体が停止したか否かを検出し、前記移動体が停止したことを検出した場合に、前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システムが提供される。
【発明の効果】
【００１３】
本発明によれば、安否確認サービスの利用者に手間をかけずに、当該サービスに必要な情報を定期的にもれなく収集可能とする技術が提供される。
【図面の簡単な説明】
【００１４】
【図１】安否確認システムのシステム構成を概略的に示す図である。
【図２】第１実施形態の安否確認システムを構成する各装置の機能構成を概念的に示すブロック図である。
【図３】通信装置の処理の流れを示すフローチャートである。
【図４】サーバ装置の処理の流れを示すフローチャートである。
【図５】スマートメータの識別情報と、所定のユーザ端末と通信するための宛先情報とを対応付けている情報の一例を示す図である。
【図６】第２実施形態の安否確認システムを構成する各装置の機能構成を概念的に示すブロック図である。
【図７】安否確認システムの各装置のハードウエア構成を概念的に示すブロック図である。
【図８】第２実施形態の安否確認システムの第１の動作例を示すシーケンス図である。
【図９】第２実施形態の安否確認システムの第２の動作例を示すシーケンス図である。
【図１０】第２実施形態の第２の動作例において認証用情報を取得する流れを説明するための図である。
【発明を実施するための形態】
【００１５】
以下、本発明の実施の形態について、図面を用いて説明する。尚、すべての図面において、同様な構成要素には同様の符号を付し、適宜説明を省略する。また各ブロック図において、特に説明がない限り、各ブロックは、ハードウエア単位の構成ではなく機能単位の構成を表している。また、本明細書において、「取得」や「読み出す」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００１６】
［第１実施形態］
〔システム概要〕
図１は、安否確認システムのシステム構成を概略的に示す図である。図１に示されるように、安否確認システム１０００は、移動体２０に備えられている通信装置１０、スマートメータ３０、サーバ装置４０、及びユーザ端末５０を含んで構成される。通信装置１０は、スマートメータ３０との間で通信を確立し、当該スマートメータ３０から測定データを収集する。なお、通信装置１０とスマートメータ３０との通信可能範囲は、移動体２０が移動することにより変動する。なお、移動体２０は、定期的に測定データを収集できるという点で、決まったルートを定期的に移動するものであると好ましい。特に限定されないが、このような移動体２０の一例としては、ゴミ収集車などが挙げられる。なお、移動体２０は、ゴミ収集車に限らず、測定データを収集する目的で配備される車両やドローンなどであってもよい。通信装置１０は、取得した各スマートメータ３０の測定データを、例えば、３ＧやＬＴＥ（Long Term Evolution）といったネットワークを利用して、クラウド上のサーバ装置４０に送信する。サーバ装置４０は、通信装置１０から受信した各スマートメータ３０の測定データの解析を行う。またサーバ装置４０は、測定データを解析した結果から異常が疑われる場合、緊急連絡先として予め登録されているユーザ端末５０に連絡を行う。ユーザ端末５０は、例えば、家族や知人といった第三者または民生員などが利用する端末である。
【００１７】
〔機能構成〕
以下、図２を用いて、安否確認システム１０００を構成する各装置の機能構成について説明する。図２は、第１実施形態の安否確認システム１０００を構成する各装置の機能構成を概念的に示すブロック図である。
【００１８】
図２に示されるように、通信装置１０は、位置関連情報取得部１１０、読出部１２０、測定データ取得部１３０、および測定データ送信部１４０を備える。この通信装置１０は、移動体２０に設けられる、外付け型或いは内蔵型の装置である。また、この通信装置１０は、通信可能範囲に存在するスマートメータ３０との間で通信を確立し、当該スマートメータ３０の測定データ（例えば、電気、ガス、水道などの使用量に関するデータ）を取得する。
【００１９】
位置関連情報取得部１１０は、移動体２０の位置に関する位置関連情報を取得する。位置関連情報は、例えば、移動体２０の現在位置を示す情報や、移動体２０が移動すべきルートを示すルート情報（すなわち、移動体２０が通過する位置を示す情報）などである。但し、位置関連情報取得部１１０が取得する位置関連情報はこれらの例に制限されない。
【００２０】
読出部１２０は、位置関連情報取得部１１０により取得される位置関連情報に基づいて、各スマートメータ３０との無線通信における認証用情報を読み出す。読出部１２０の具体的な処理については後述する。
【００２１】
認証用情報は、スマートメータ３０ごとに設定されるＩＤと認証データ（パスワードなど）との組であり、スマートメータ３０との無線通信を確立するための情報である。各スマートメータ３０の認証用情報は、当該スマートメータ３０の位置情報（例えば緯度／経度情報といったそのスマートメータ３０の設置位置を示す情報、或いは、その設置位置に対応する基準地点またはエリア（住所の少なくとも一部など）を示す情報）と対応付けられた状態で、サーバ装置４０の認証用情報記憶部４２０に記憶されている。認証用情報記憶部４２０は、図示しない他のサーバ装置に備えられていてもよい。
【００２２】
サーバ装置４０の認証用情報送信部４１０は、読出部１２０から移動体２０の位置関連情報を受け取ると、その位置関連情報に対応する認証用情報を認証用情報記憶部４２０から取得する。そして、認証用情報送信部４１０は、取得した認証用情報を通信装置１０に送信する。これにより、読出部１２０は、認証用情報を認証用情報記憶部４２０から読み出すことができる。
【００２３】
測定データ取得部１３０は、読出部１２０が読み出した認証用情報を用いて無線通信を行い、当該認証用情報に対応するスマートメータ３０の測定データを取得する。測定データ取得部１３０は、例えば、９２０ＭＨｚ帯を使用する特定小電力無線方式（例えば、Ｗｉ−ＳＵＮ）による無線通信を行う。９２０ＭＨｚ帯を使用する特定小電力無線方式は、無線ＬＡＮ（Local Area Network）（所謂、Ｗｉ−Ｆｉ（Wireless Fidelity））と比べて低消費電力、到達距離が長い、および、他の無線との電波干渉を起こしにくい、といった特長を有する。また、９２０ＭＨｚ帯を使用する特定小電力無線方式は、電波の回り込み特性に優れているので、壁や障害物がある場所でも安定した通信を実現できる。また９２０ＭＨｚ帯を使用する特定小電力無線方式は、他の特定小電力無線方式（４００ＭＨｚ帯）よりも通信速度が速い（最大２００ｋｂｐｓ程度）という点においても好ましい。また、これに限らず、測定データ取得部１３０は、２．４Ｇｈｚ帯を使用するＺｉｇＢｅｅ（登録商標）など、その他の通信方式による無線通信を行ってもよい。
【００２４】
通信装置１０とスマートメータ３０との間で無線通信が確立すると、スマートメータ３０の送受信部３１０は、測定データ記憶部３２０に蓄積されている測定データを読み出して、通信装置１０に送信する。なお、送受信部３１０は任意に定められた期間（例えば、過去１時間分、過去数時間分、半日または１日分など）の測定データを測定データ記憶部３２０から読み出して、通信装置１０に送信することができる。
【００２５】
測定データ送信部１４０は、測定データ取得部１３０が取得したスマートメータ３０の測定データを、当該スマートメータ３０の識別情報と対応付けて送信する。測定データ送信部１４０は、例えばサーバ装置４０などの外部装置に測定データを送信する。測定データ送信部１４０は、測定データ蓄積用のデータベースを有する図示しない他の外部装置が存在する場合、スマートメータ３０から取得した測定データを当該他の外部装置に送信してもよい。また測定データ送信部１４０は、例えば、測定データを取得する際に使用した認証用情報に含まれるＩＤを、そのスマートメータ３０の識別情報として利用することができる。また例えば、測定データ送信部１４０は、測定データに紐付けられてスマートメータ３０から送信されてくる各スマートメータ３０固有の情報を、そのスマートメータ３０の識別情報として利用してもよい。
【００２６】
サーバ装置４０は、測定データ送信部１４０からスマートメータの識別情報と共に送信された測定データを、測定データ解析部４３０で解析する。測定データ解析部４３０は、スマートメータの識別情報別に測定データのデータパターンを抽出する。そして、異常報知部４４０は、解析の結果として得られたデータパターンが、予め定義された異常なデータパターンを示すか否かを判定する。異常なデータパターンとは、特に限定されないが、例えば、電力、ガス、または水道の使用量が一定時間以上変動していない、または、電力、ガス、または水道の総使用量が一定時間以上単調増加し続けている、などである。異常報知部４４０は、このような異常なデータパターンが解析結果として得られた場合に、所定の連絡先として登録されているユーザ端末５０に、異常が発生している可能性がある旨を知らせる報知情報を送信する。報知情報を送信するために用いるユーザ端末５０の電話番号やメールアドレスなどは、スマートメータの識別情報に予め紐付けられた状態で、サーバ装置４０またはサーバ装置４０と通信可能に接続された他の装置の記憶装置に記憶されている。
【００２７】
ユーザ端末５０は、受信部５１０を介して異常報知部４４０からの報知情報を受信する。そして、表示処理部５２０は、ユーザ端末５０の表示装置や音声出力装置を用いて、当該報知情報をユーザ端末５０のユーザに対して出力する。
【００２８】
〔動作例〕
以下、図３および図４を用いて、第１実施形態の安否確認システム１０００の動作例について説明する。図３は、通信装置１０の処理の流れを示すフローチャートである。また、図４は、サーバ装置４０の処理の流れを示すフローチャートである。
【００２９】
まず、図３を用いて通信装置１０の処理の流れについて説明する。
【００３０】
位置関連情報取得部１１０は、移動体２０の位置関連情報（例えば、ＧＰＳ（Global Positioning System）情報や無線基地局の位置情報などを基に得られる移動体２０の現在位置情報、又は、ストレージ１０４等に予め記録されている移動体２０のルート情報など）を取得する（Ｓ１０２）。
【００３１】
読出部１２０は、取得した位置関連情報をサーバ装置４０に送信する（Ｓ１０４）。サーバ装置４０では、この移動体２０の位置関連情報に基づいて、認証用情報記憶部４２０に記憶されている認証用情報の中から、通信装置１０に送信すべき認証用情報が特定される。そして、読出部１２０は、サーバ装置４０で特定された認証用情報を取得する（Ｓ１０６）。
【００３２】
測定データ取得部１３０は、読出部１２０により取得された認証用情報を用いて、無線通信可能な範囲に位置する各スマートメータ３０から通信確立要求を送信する（Ｓ１０８）。測定データ取得部１３０は、例えば、読出部１２０により取得された認証用情報を含む通信確立要求を通信可能範囲内にブロードキャストする。すると、正しい認証用情報を受け取ったスマートメータ３０から、無線通信経路を介して測定データが返信される。Ｓ１０６で複数の認証用情報が取得された場合、測定データ取得部１３０は、各々の認証用情報を通信確立要求に含めてブロードキャストする。そして、測定データ取得部１３０は、各スマートメータ３０から送信された測定データを取得する（Ｓ１１０）。そして、測定データ送信部１４０は、各スマートメータ３０から収集した測定データをサーバ装置４０または測定データを蓄積するデータベースを有するその他の外部装置に向けて送信する（Ｓ１１２）。ここで、測定データ送信部１４０は、各スマートメータを識別する識別情報と測定データとを対応付けた状態で送信する。
【００３３】
次に、図４を用いて、サーバ装置４０の処理の流れについて説明する。
【００３４】
測定データ解析部４３０は、通信装置１０から送信された測定データを解析し、識別情報で識別されるスマートメータ３０毎にデータパターンを抽出する（Ｓ２０２）。
【００３５】
異常報知部４４０は、測定データ解析部４３０により抽出されたデータパターンと、予め定義された異常検知用のデータパターンとを比較し、当該抽出されたデータパターンが異常を示すパターンか否かを判定する（Ｓ２０４）。
【００３６】
抽出されたデータパターンが異常なデータパターンではない場合（Ｓ２０４：ＮＯ）、後述の処理は実行されない。
【００３７】
一方、抽出されたデータパターンが異常なデータパターンである場合（Ｓ２０４：ＹＥＳ）、異常報知部４４０は、そのデータパターンの基となった測定データに対応付けられているスマートメータ３０の識別情報を用いて、所定の連絡先として登録されているユーザ端末５０の宛先情報を取得する（Ｓ２０６）。例えば、異常報知部４４０は、図５に示すような情報を用いる。図５は、スマートメータ３０の識別情報と、所定のユーザ端末５０と通信するための宛先情報とを対応付けている情報の一例を示す図である。図５の例では、スマートメータ３０の識別情報（メータＩＤ）と、ユーザ端末５０の電話番号やメールアドレスといった宛先情報とが対応付けられている。異常報知部４４０は、図５に示されるような情報により、スマートメータ３０の識別情報から、そのスマートメータ３０の所有者に関係のある第三者（例えば、家族、知人、民生員）が所持するユーザ端末５０の宛先情報を取得できる。
【００３８】
そして、異常報知部４４０は、取得したユーザ端末５０の宛先情報を用いて、測定データが異常な動きを見せているスマートメータ３０の所有者に何らかのアクシデントが発生していることを知らせる報知情報を送信する（Ｓ２０８）。ユーザ端末５０の所有者は、報知情報を確認することで異常事態の発生に気付くことができる。
【００３９】
〔作用・効果〕
以上、本実施形態によれば、移動体２０の位置関連情報に基づいて、スマートメータ３０と無線通信するために必要な認証用情報が通信装置１０に読み出される。これにより、移動体２０に設けられた通信装置１０が、各サービス利用者のスマートメータ３０と無線通信ネットワークを介して通信して、当該スマートメータ３０の測定データを収集可能となる。そのため、安否確認サービスの利用者がＨＥＭＳ機器を導入する必要がなくなる。また、安否確認サービスの利用者が、ＨＥＭＳ機器を無線により通信可能とするための事前作業を行う必要もなくなる。また、安否確認サービスの提供者は、移動体２０でサービス利用者の自宅近辺を通過するだけで、通信装置１０を介して各サービス利用者のスマートメータ３０から収集することができる。これにより、各サービス利用者のスマートメータ３０の測定データを、定期的にもれなく収集することができる。また、このように定期的にもれなく収集された測定データを用いて、より信頼性のある安否確認サービスを利用者に提供することができる。
【００４０】
［第２実施形態］
本実施形態では、第１実施形態の安否確認システム１０００をより詳細に説明する。
【００４１】
〔機能構成〕
図６は、第２実施形態の安否確認システム１０００を構成する各装置の機能構成を概念的に示すブロック図である。図６に示されるように、本実施形態の通信装置１０は、第１実施形態の構成に加えて、一時記憶領域１５０および削除部１６０を更に備える。
【００４２】
一時記憶領域１５０は、読出部１２０が読み出した認証用情報を一時的に記憶する領域である。本実施形態において、読出部１２０は、サーバ装置４０の認証用情報記憶部４２０から認証用情報を取得すると、その認証用情報を一時記憶領域１５０に一時的に記憶する。また削除部１６０は、一時記憶領域１５０に記憶された認証用情報を用いてスマートメータ３０の測定データが取得された後、当該測定データを取得するために利用した認証用情報を一時記憶領域１５０から削除する。
【００４３】
〔ハードウエア構成〕
安否確認システム１０００に含まれる各装置の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、安否確認システム１０００に含まれる各装置の各機能構成部がハードウエアとソフトウエアとの組み合わせで実現される場合について、さらに説明する。
【００４４】
図７は、安否確認システム１０００の各装置のハードウエア構成を概念的に示すブロック図である。
【００４５】
通信装置１０は、バス１０１、プロセッサ１０２、メモリ１０３、ストレージ１０４、入出力インタフェース１０５、第１通信インタフェース１０６、及び、第２通信インタフェース１０７を有する。バス１０１は、データを送受信するためのデータ伝送路である。プロセッサ１０２、メモリ１０３、ストレージ１０４、入出力インタフェース１０５、第１通信インタフェース１０６、及び第２通信インタフェース１０７は、バス１０１を介して相互にデータを送受信する。但し、プロセッサ１０２などを互いに接続する方法は、バス接続に限定されない。
【００４６】
プロセッサ１０２は、ＣＰＵ（Central Processing Unit）やＧＰＵ（Graphics Processing Unit）などの演算処理装置である。メモリ１０３は、ＲＡＭ（Random Access Memory）やＲＯＭ（Read Only Memory）などのメモリである。メモリ１０３は、上述の一時記憶領域１５０としても機能する。ストレージ１０４は、ＨＤＤ（Hard Disk Drive）、ＳＳＤ（Solid State Drive）、又はメモリカードなどの記憶装置である。また、ストレージ１０４は、ＲＡＭやＲＯＭなどのメモリであってもよい。
【００４７】
ストレージ１０４は、通信装置１０の上記機能構成部（位置関連情報取得部１１０、読出部１２０、測定データ取得部１３０、測定データ送信部１４０、削除部１６０）を実現するプログラムモジュールを記憶している。プロセッサ１０２は、これら各プログラムモジュールを実行することにより、そのプログラムモジュールに対応する各機能構成部を実現する。ここでプロセッサ１０２は、上記各プログラムモジュールを実行する際、これらのプログラムモジュールをメモリ１０３上に読み出してから実行してもよいし、メモリ１０３上に読み出さずに実行してもよい。
【００４８】
入出力インタフェース１０５は、通信装置１０と入出力デバイスとを接続するためのインタフェースである。図７の例において、入出力インタフェース１０５には、ＧＰＳ情報を取得するためのＧＰＳ計測器１０５１が接続される。また、入出力インタフェース１０５には、キーボードなどの入力装置や、ＣＲＴ（Cathode Ray Tube）ディスプレイやＬＣＤ（Liquid Crystal Display）などの表示装置、これら入力装置と表示装置が一体化したタッチパネルなどが接続されていてもよい。
【００４９】
第１通信インタフェース１０６は、９２０ＭＨｚ帯などを使用する特定小電力無線方式による無線通信を行い、通信可能範囲内のスマートメータ３０と通信するためのインタフェースである。また、第２通信インタフェース１０７は、３ＧやＬＴＥなどの通信方式によって、外部のサーバ装置４０と通信するためのインタフェースである。
【００５０】
サーバ装置４０は、バス４０１、プロセッサ４０２、メモリ４０３、ストレージ４０４、入出力インタフェース４０５、及び通信インタフェース４０６を有する。バス４０１は、データを送受信するためのデータ伝送路である。プロセッサ４０２、メモリ４０３、ストレージ４０４、入出力インタフェース４０５、及び通信インタフェース４０６は、バス４０１を介して相互にデータを送受信する。但し、プロセッサ４０２などを互いに接続する方法は、バス接続に限定されない。
【００５１】
プロセッサ４０２は、ＣＰＵ（Central Processing Unit）やＧＰＵ（Graphics Processing Unit）などの演算処理装置である。メモリ４０３は、ＲＡＭ（Random Access Memory）やＲＯＭ（Read Only Memory）などのメモリである。ストレージ４０４は、ＨＤＤ（Hard Disk Drive）、ＳＳＤ（Solid State Drive）、又はメモリカードなどの記憶装置である。ストレージ４０４は、認証用情報記憶部４２０として利用することができる。また、ストレージ４０４は、ＲＡＭやＲＯＭなどのメモリであってもよい。
【００５２】
ストレージ４０４は、サーバ装置４０の上記機能構成部（認証用情報送信部４１０、測定データ解析部４３０、異常報知部４４０）を実現するプログラムモジュールを記憶している。プロセッサ４０２は、これら各プログラムモジュールを実行することにより、そのプログラムモジュールに対応する各機能構成部を実現する。ここでプロセッサ４０２は、上記各プログラムモジュールを実行する際、これらのプログラムモジュールをメモリ４０３上に読み出してから実行してもよいし、メモリ４０３上に読み出さずに実行してもよい。
【００５３】
入出力インタフェース４０５は、サーバ装置４０と入出力デバイスとを接続するためのインタフェースである。入出力インタフェース４０５には、例えば、マウス、キーボードなどの入力装置や、ＣＲＴ（Cathode Ray Tube）ディスプレイやＬＣＤ（Liquid Crystal Display）などの表示装置、これら入力装置と表示装置が一体化したタッチパネルなどが接続される。また、入出力インタフェース４０５には印刷装置が接続されていてもよい。なお、入出力インタフェース４０５には、これらの装置が接続されていなくてもよい。
【００５４】
通信インタフェース４０６は、サーバ装置４０を様々なネットワークに接続させて、該ネットワークを介して外部の装置（例えば、通信装置１０やユーザ端末５０など）と通信させるためのインタフェースである。
【００５５】
なお、安否確認システム１０００に含まれる各装置のハードウエア構成は図７に示した構成に限定されない。
【００５６】
〔動作例〕
以下、第２実施形態に係る安否確認システム１０００の具体的な動作例について説明する。なお以下では、スマートメータ３０の測定データの収集業務を、地方自治体が管轄するゴミ収集業者に委託するケースを例示する。この場合、移動体２０は、定期的に予め決められたルートを移動するゴミ収集車となる。ゴミ収集車は、担当地域を万遍なくカバーするルートを定期的に廻るため、通信装置１０を搭載する移動体２０として利用することで、安否確認に利用する測定データを定期的に且つもれなく収集する効果が期待できる。
【００５７】
＜第１の動作例＞
この動作例において、読出部１２０は、移動体２０の位置関連情報として移動体２０の現在位置情報を利用する。位置関連情報取得部１１０は、例えばＧＰＳ計測器１０５１から得られるＧＰＳ情報や無線基地局の位置情報などを利用して、移動体２０の現在位置情報を所定の間隔で取得することができる。そして、読出部１２０は、位置関連情報取得部１１０が取得した移動体２０の現在位置情報をサーバ装置４０に送信する。サーバ装置４０の認証用情報送信部４１０は、読出部１２０から移動体２０の現在位置情報を受け取ると、その現在位置情報に対して所定の条件を満たす位置情報が対応付けられている認証用情報を認証用情報記憶部４２０から取得する。そして、認証用情報送信部４１０は、取得した認証用情報を通信装置１０に送信する。これにより、読出部１２０は、移動体２０の現在位置情報に対して所定の条件を満たす位置情報が対応付けられている認証用情報を認証用情報記憶部４２０から読み出すことができる。
【００５８】
図８を用いて、具体的な動作を説明する。図８は、第２実施形態の安否確認システム１０００の第１の動作例を示すシーケンス図である。
【００５９】
通信装置１０の位置関連情報取得部１１０は、例えばＧＰＳ計測器１０５１により所定の間隔で生成されるゴミ収集車の現在位置情報（緯度／経度情報）を逐次取得する。これに限らず、通信装置１０の位置関連情報取得部１１０は、例えば、ゴミ収集車が停止したタイミングに応じてゴミ収集車の現在位置情報を取得してもよい。この場合、位置関連情報取得部１１０は、例えば、ＧＰＳ計測器１０５１により所定の間隔で生成される現在位置情報の中から、ゴミ収集車が停止したことを検出したタイミングの直前または直後に生成された現在位置情報を取得する。また、位置関連情報取得部１１０は、ゴミ収集車が停止したことを検知した場合にＧＰＳ計測器１０５１に対して起動指示を送信し、当該指示に応じてＧＰＳ計測器１０５１により生成されたゴミ収集車の現在位置情報を取得してもよい。なお、位置関連情報取得部１１０は、ゴミ収集車のＣＡＮ（Control Area Network）などから取得できる速度情報を用いて、ゴミ収集車が停止したことを検出できる。具体的には、位置関連情報取得部１１０は、ＣＡＮなどから取得された速度情報が所定の閾値速度（例えば５ｋｍ／ｈなど）以下である状態が所定の閾値時間（例えば５〜１０秒など）継続したか否かを判断することによって、ゴミ収集車が停止しているか否かを判断することができる。そして、通信装置１０の読出部１２０は、位置関連情報取得部１１０により取得されたゴミ収集車の位置情報を、第２通信インタフェース１０７を介してサーバ装置４０に送信する（Ｓ３０２）。
【００６０】
サーバ装置４０の認証用情報送信部４１０は、受信したゴミ収集車の現在位置情報と、各認証用情報に対応付けられた位置情報とを用いて、通信装置１０に送信すべき認証用情報を認証用情報記憶部４２０に記憶されている認証用情報の中から特定する（Ｓ３０４）。
【００６１】
例えば、認証用情報記憶部４２０が、スマートメータ３０の認証用情報と、当該スマートメータ３０の設置場所から最も近いゴミ集積場といった基準地点の位置情報（緯度／経度情報）とを対応付けて記憶しているとする。この場合、認証用情報送信部４１０は、ゴミ収集車の現在位置情報と、スマートメータ３０の認証用情報に対応付けられている基準地点の位置情報とを用いて、ゴミ収集車と基準地点との間の距離を算出し、その距離が所定の閾値以下であるか否かを判定する。ここで算出される距離は、地図上の直線距離であってもよいし、道路に沿った移動距離であってもよい。そして認証用情報送信部４１０は、ゴミ収集車との間の距離が所定の閾値以下と判断された基準地点と対応付けられている認証用情報を、通信装置１０に送信すべき認証用情報として特定する。
【００６２】
また例えば、認証用情報記憶部４２０は、基準地点の代わりに、３地点以上の位置情報（緯度／経度情報）を含むエリア情報と、認証用情報とを対応付けて記憶していてもよい。この場合、認証用情報送信部４１０は、ゴミ収集車の現在位置情報と、エリア情報により定義される範囲との位置関係に基づいて、通信装置１０に送信すべき認証用情報を特定することができる。具体的には、認証用情報送信部４１０は、ゴミ収集車の現在位置情報が示す位置を含むエリアを定義しているエリア情報に対応付けられている認証用情報を、通信装置１０に送信すべき認証用情報として特定する。
【００６３】
また例えば、認証用情報記憶部４２０が、スマートメータ３０の認証用情報と、当該スマートメータ３０の設置場所の住所情報とを対応付けて記憶しているとする。この場合、認証用情報送信部４１０は、ゴミ収集車の現在位置情報（緯度／経度情報）を所定の変換用関数などを用いて変換することで得られる住所情報に基づいて、通信装置１０に送信すべき認証用情報を特定することができる。具体的には、認証用情報送信部４１０は、ゴミ収集車の現在位置情報から得られる住所情報と同一エリアを示す住所情報（例えば、丁目までが同一である住所情報）と対応付けられている認証用情報を、通信装置１０に送信すべき認証用情報として特定する。
【００６４】
但し、ここで挙げた例はあくまで一例であり、本実施形態はこれらの例に制限されない。
【００６５】
サーバ装置４０の認証用情報送信部４１０は、このような所定の基準を満たす位置情報と対応付けられている認証用情報を認証用情報記憶部４２０から取得し、通信装置１０に送信する（Ｓ３０６）。本例では、スマートメータ３０Ａの認証用情報とスマートメータ３０Ｂの認証用情報が取得されたものとする。
【００６６】
通信装置１０の読出部１２０は、３ＧまたはＬＴＥを利用する第２通信インタフェース１０７を介して、サーバ装置４０から送信された認証用情報を取得すると、その認証情報を一時記憶領域１５０（メモリ１０３など）に一時的に記憶する（Ｓ３０８）。
【００６７】
なお通信装置１０の読出部１２０は、現在位置情報に基づいて認証用情報を読み出すことに成功した場合、ゴミ収集車の現在位置情報の送信を一時停止してもよい（Ｓ３１０）。一例として、位置関連情報取得部１１０は、読出部１２０による認証用情報の読み出しに応じて停止指示をＧＰＳ計測器１０５１に送信し、ＧＰＳ計測器１０５１の動作を一時的に停止させる。これに限らず、読出部１２０がＧＰＳ計測器１０５１に停止指示を送信してもよい。また、通信装置１０の読出部１２０は、ゴミ収集車が動いているか又は停止しているかによって、ゴミ収集車の現在位置情報の送信を一時停止するか否かを制御してもよい。この場合、通信装置１０の読出部１２０は、ゴミ収集車が動いていることを検出すると、ゴミ収集車の現在位置情報の送信を一時停止する。通信装置１０の読出部１２０は、例えば、ＣＡＮなどから取得された速度情報が所定の閾値速度（例えば５ｋｍ／ｈなど）を超える状態が所定の閾値時間（例えば５〜１０秒など）継続したか否かを判断することによって、ゴミ収集車が動いているか否かを判断することができる。これにより、通信装置１０の電力消費量を低減させることができる。なおこの場合、ＧＰゴミ収集車の現在位置情報の送信は、所定の動作再開条件（後述）を満たすことにより再開される。
【００６８】
通信装置１０の測定データ取得部１３０は、一時記憶領域１５０（メモリ１０３など）に一時的に記憶されている認証用情報（スマートメータ３０Ａおよびスマートメータ３０Ｂの認証用情報）を読み出す（Ｓ３１２）。そして、通信装置１０の測定データ取得部１３０は、例えば９２０ＭＨｚ帯の特定小電力無線方式（Ｗｉ−ＳＵＮなど）を用いる第１通信インタフェース１０６を介して、スマートメータ３０Ａおよびスマートメータ３０Ｂの各々に測定データの送信を要求する（Ｓ３１４Ａ、Ｓ３１４Ｂ）。そして、測定データ取得部１３０は、スマートメータ３０Ａの認証用情報を用いてスマートメータ３０Ａとの間で通信を確立し、スマートメータ３０Ａから測定データを取得する（Ｓ３１６Ａ）。また、測定データ取得部１３０は、スマートメータ３０Ｂの認証用情報を用いてスマートメータ３０Ｂとの間で通信を確立し、スマートメータ３０Ｂから測定データを取得する（Ｓ３１６Ｂ）。
【００６９】
ここで、各スマートメータ３０から測定データを取得できた後は、認証用情報は不要となるため、通信装置１０の削除部１６０は、不要となった認証用情報を一時記憶領域１５０（メモリ１０３など）から削除する。これにより、個人の家に設置されるスマートメータ３０と通信可能とするための認証用情報（プライバシーに関わる情報）の漏洩リスクを低減させることができる。なお、図８では、各スマートメータ３０から測定データが取得できたタイミングで、該測定データを取得するために使用した認証用情報を一時記憶領域１５０（メモリ１０３など）から削除する処理を実行する例が示されている（Ｓ３１８Ａ、Ｓ３１８Ｂ）。但し、認証用情報を削除するタイミングは図８の例に限定されない。
【００７０】
例えば、削除部１６０は、スマートメータ３０の測定データを外部装置（サーバ装置４０など）に送信した後、当該外部装置からデータ受領確認信号を受信した場合に、その測定データを取得するために利用した認証用情報を一時記憶領域１５０（メモリ１０３など）から削除してもよい。このようにすることで、認証用情報の漏洩リスクを低減させると共に、サーバ装置４０がスマートメータ３０の測定データを確実に取得できたか否かを管理できる。例えば、サーバ装置４０に測定データを送信したにもかかわらず、サーバ装置４０からの受領確認信号を所定時間が経過しても受信できない場合、通信装置１０は、その測定データがサーバ装置４０に正常に届いていないと判断できる。この場合、測定データ取得部１３０はその測定データを再度送信する。
【００７１】
また例えば、削除部１６０は、ゴミ収集車（移動体２０）の現在位置情報に基づく所定の削除条件が満たされるか否かを判定し、当該削除条件を満たす場合に、一時記憶領域１５０（メモリ１０３など）に記憶されている認証用情報を削除するように構成されていてもよい。
【００７２】
例えば、認証用情報に基準地点（例えば、最寄りのゴミ集積場など）の位置情報が対応付けられている場合、削除部１６０は、ゴミ収集車の現在位置と基準地点との位置関係を基に、一時記憶領域１５０に記憶されている認証用情報を削除するか否かを判定できる。この場合、読出部１２０は、Ｓ３０６で、認証用情報と共に当該認証用情報に対応付けられている基準地点の位置情報を取得する。そして削除部１６０は、例えば「ゴミ収集車の現在位置情報と、取得した基準地点の位置情報とを用いて算出される距離が所定の閾値を超える」といった削除条件を満たすか否かを判定し、当該削除条件を満たす場合に、一時記憶領域１５０に記憶されている認証用情報を削除する。
【００７３】
また例えば、認証用情報にエリア情報（住所など）が対応付けられている場合、削除部１６０は、ゴミ収集車の現在位置とエリア情報が示す位置との対応関係を基に、一時記憶領域１５０に記憶されている認証用情報を削除するか否かを判定できる。この場合、読出部１２０は、Ｓ３０６で、認証用情報と共に当該認証用情報に対応付けられているエリア情報（住所情報）を取得する。そして削除部１６０は、例えば「ゴミ収集車の現在位置情報に対応する住所と、取得したエリア情報が示す住所とが異なる」といった削除条件を満たすか否かを判定し、当該削除条件を満たす場合に、一時記憶領域１５０に記憶されている認証用情報を削除する。
【００７４】
また例えば、認証用情報にエリア情報（３地点以上の位置情報で形成されるエリアを定義する情報）が対応付けられている場合、削除部１６０は、ゴミ収集車の現在位置とエリア情報で定義される範囲との位置関係を基に、一時記憶領域１５０に記憶されている認証用情報を削除するか否かを判定できる。この場合、読出部１２０は、Ｓ３０６で、認証用情報と共に当該エリア情報を取得する。そして削除部１６０は、例えば「ゴミ収集車の現在位置情報によって示される位置が、取得したエリア情報の範囲外となる」といった削除条件を満たすか否かを判定し、当該削除条件を満たす場合に、一時記憶領域１５０に記憶されている認証用情報を削除してもよい。
【００７５】
また例えば、認証用情報にスマートメータ３０の設置場所の住所情報が対応付けられている場合、削除部１６０は、ゴミ収集車の現在位置情報から得られる住所情報に基づいて、一時記憶領域１５０に記憶されている認証用情報を削除するか否かを判定できる。具体的には、削除部１６０は、「ゴミ収集車の現在位置情報から得られる住所情報が丁目より上位の部分で変動する」といった削除条件を満たすか否かを判定し、当該削除条件を満たす場合に、一時記憶領域１５０に記憶されている認証用情報を削除してもよい。
【００７６】
また、削除部１６０は、サーバ装置４０からの削除指示に従って、一時記憶領域１５０に記憶されている認証用情報を削除してもよい。具体的には、サーバ装置４０は、Ｓ３０６で認証用情報を送信する際、その時点で一時記憶領域１５０に記憶されている認証用情報を削除する指示を送信する。この場合、削除部１６０がサーバ装置４０からの削除指示に従って一時記憶領域１５０に記憶されている認証用情報を削除した後、読出部１２０は新たに取得した認証用情報を一時記憶領域１５０に一時的に記憶させる。
【００７７】
また上記に限らず、一時記憶領域１５０を揮発性メモリで構成し、電源供給がなくなった場合に、一時記憶領域１５０に記憶されているスマートメータ３０の認証用情報が削除されるようにしてもよい。これにより、通信装置１０を紛失、或いは、通信装置１０が盗まれた場合に、認証用情報が漏洩することを回避できる。
【００７８】
そして、通信装置１０の測定データ送信部１４０は、第２通信インタフェース１０７を介して、測定データ取得部１３０が取得した測定データをサーバ装置４０に送信する。通信装置１０の測定データ送信部１４０は、どのスマートメータ３０の測定データかをサーバ装置４０側で識別可能とするために、各スマートメータ３０の識別情報を対応付けた状態で測定データを送信する。測定データ送信部１４０は、例えば、測定データに紐付けられて各スマートメータ３０から送信されてくる各スマートメータ３０固有の情報（ＩＤなど）を、そのスマートメータ３０の識別情報として利用する。具体的には、通信装置１０の測定データ送信部１４０は、スマートメータ３０Ａの測定データをスマートメータ３０Ａの識別情報（ＩＤＡ）と対応付けて送信する（Ｓ３２０Ａ）。また、通信装置１０の測定データ送信部１４０は、スマートメータ３０Ｂの測定データをスマートメータ３０Ｂの識別情報（ＩＤＢ）と対応付けて送信する（Ｓ３２０Ｂ）。なお、図８の例に限らず、測定データ送信部１４０は、各スマートメータ３０の測定情報を一括して送信してもよい。
【００７９】
なお、Ｓ３１０でＧＰＳ計測器１０５１の動作を一時停止している場合、通信装置１０の読出部１２０は、所定の動作再開条件を満たすか否かを判定する。当該動作再開条件を満たす場合、読出部１２０は、サーバ装置４０にゴミ収集車の現在位置情報を送信する処理を再開する（Ｓ３２２）。一例として、読出部１２０が動作再開条件を満たすと判定した場合、読出部１２０は位置関連情報取得部１１０にＧＰＳ計測器１０５１の動作を再開させるよう指示する。位置関連情報取得部１１０は、この指示に応じてＧＰＳ計測器１０５１に起動指示を送信し、ＧＰＳ計測器１０５１の動作を再開させる。これに限らず、読出部１２０がＧＰＳ計測器１０５１に起動指示を送信してもよい。なお「所定の動作再開条件」とは、例えば、「ゴミ収集車の現在位置と基準地点との距離が所定の閾値を超える場合」や「ゴミ収集車の現在位置情報から得られる住所情報が丁目より上位の部分で変動した場合」などである。また、通信装置１０の読出部１２０は、ゴミ収集車が動いているか又は停止しているかによって、ゴミ収集車の現在位置情報の送信を再開するか否かを制御してもよい。この場合、通信装置１０の読出部１２０は、ゴミ収集車が停止していることを検出すると、ゴミ収集車の現在位置情報の送信を再開する。通信装置１０の読出部１２０は、例えば、ＣＡＮなどから取得された速度情報が所定の閾値速度（例えば５ｋｍ／ｈなど）以下の状態が所定の閾値時間（例えば５〜１０秒など）継続したか否かを判断することによって、ゴミ収集車が停止しているか否かを判断することができる。
【００８０】
なお、サーバ装置４０におけるデータ解析処理は、第１実施形態で説明したとおりである。
【００８１】
＜第２の動作例＞
この動作例において、読出部１２０は、移動体２０（ゴミ収集車）の位置関連情報として当該ゴミ収集車が移動すべきルートを示すルート情報を利用する。具体的には、各ゴミ収集車に割り当てられたゴミ回収ルートを示すルート情報がメモリ１０３やストレージ１０４に予め記憶されており、位置関連情報取得部１１０はこれらの記憶部から当該ルート情報を位置関連情報として取得する。そして、読出部１２０は、位置関連情報取得部１１０が取得したゴミ収集車のルート情報をサーバ装置４０に送信する。サーバ装置４０の認証用情報送信部４１０は、読出部１２０からゴミ収集車のルート情報を受け取ると、そのルート情報に対して所定の条件を満たす位置情報が対応付けられている認証用情報を認証用情報記憶部４２０から取得する。例えば、ゴミ収集車のルート情報が「ＡＡ市ＢＢ町ＣＣ丁目」を廻るルートを示している場合、サーバ装置４０の認証用情報送信部４１０は、「ＡＡ市ＢＢ町ＣＣ丁目」を含む位置情報が対応付けられている認証用情報を一括して取得する。そして、認証用情報送信部４１０は、取得した認証用情報を通信装置１０に送信する。これにより、読出部１２０は、ゴミ収集車のルート情報に対して所定の条件を満たす位置情報が対応付けられている認証用情報を認証用情報記憶部４２０から読み出すことができる。
【００８２】
図９を用いて、具体的な動作を説明する。図９は、第２実施形態の安否確認システム１０００の第２の動作例を示すシーケンス図である。
【００８３】
通信装置１０の位置関連情報取得部１１０は、メモリ１０３やストレージ１０４に予め記憶されているゴミ収集車のルート情報を読み出し、通信装置１０の読出部１２０は、当該ルート情報を、第２通信インタフェース１０７を介してサーバ装置４０に送信する（Ｓ４０２）。
【００８４】
サーバ装置４０の認証用情報送信部４１０は、受信したゴミ収集車のルート情報を用いて、通信装置１０に送信すべき認証用情報を認証用情報記憶部４２０に記憶されている認証用情報の中から特定する（Ｓ４０４）。
【００８５】
図１０を用いて、これをより具体的に説明する。図１０は、第２実施形態の第２の動作例において認証用情報を取得する流れを説明するための図である。図１０の例では、ゴミ収集車のルート情報として、ＡＡ市ＢＢ町１丁目〜３丁目を廻るルート（図中の矢印）を示す情報が予め設定されていると仮定する。
【００８６】
通信装置１０の読出部１２０は、ゴミ回収業務が始まる前に、ゴミ収集車のルート情報をサーバ装置４０に送信する。サーバ装置４０の認証用情報送信部４１０は、取得したルート情報を用いて通信装置１０に送信すべき認証用情報を、認証用情報記憶部４２０の中から検索する。この例では、サーバ装置４０の認証用情報送信部４１０は、ルート情報から得られる「ＡＡ市ＢＢ町１丁目〜３丁目」という住所を含む位置情報が紐付けられている認証用情報を、認証用情報記憶部４２０の中から検索する。そして、サーバ装置４０の認証用情報送信部４１０は、検索でヒットした認証用情報を通信装置１０に送信すべき認証用情報として特定する。
【００８７】
サーバ装置４０の認証用情報送信部４１０は、特定した認証用情報を認証用情報記憶部４２０から取得し、通信装置１０に送信する（Ｓ４０６）。本例では、スマートメータ３０Ａの認証用情報とスマートメータ３０Ｂの認証用情報が取得されたものとする。
【００８８】
通信装置１０の読出部１２０は、３ＧまたはＬＴＥを利用する第２通信インタフェース１０７を介して、サーバ装置４０から送信された認証用情報を取得すると、その認証情報を一時記憶領域１５０（メモリ１０３）に一時的に記憶する（Ｓ４０８）。
【００８９】
通信装置１０の測定データ取得部１３０は、一時記憶領域１５０（メモリ１０３など）に一時的に記憶されている認証用情報（スマートメータ３０Ａおよびスマートメータ３０Ｂの認証用情報）を読み出す（Ｓ４１２）。ここで通信装置１０の測定データ取得部１３０は、例えば以下に示すように、ＧＰＳ計測器１０５１の現在位置情報を利用して、一時記憶領域１５０から読み出す認証用情報（すなわち、無線通信に用いる認証用情報）を絞り込んでもよい。具体的には、まず、通信装置１０の測定データ取得部１３０は、ＧＰＳ計測器１０５１により得られたゴミ収集車の現在位置情報と、一時記憶領域１５０に記憶されている認証用情報に対応付けられている位置情報とを比較して、当該２つの位置情報によって示される２つの位置の間の距離が所定の閾値以内であるか否かを判定する。そして、通信装置１０の測定データ取得部１３０は、この距離が所定の閾値以内であるか否かに基づいて、一時記憶領域１５０に記憶された認証用情報の中から無線通信に用いる認証用情報を絞り込む。このようにすることで、例えば、通信装置１０が、ルートの終点付近で使用すべき認証用情報をルートの始点で一時記憶領域１５０から読み出してブロードキャストするといった、無駄な動作を抑制することができる。そして、通信装置１０の測定データ取得部１３０は、例えば９２０ＭＨｚ帯の特定小電力無線方式（Ｗｉ−ＳＵＮなど）を用いる第１通信インタフェース１０６を介して、スマートメータ３０Ａおよびスマートメータ３０Ｂの各々に測定データの送信を要求する（Ｓ４１４Ａ、Ｓ４１４Ｂ）。そして、測定データ取得部１３０は、スマートメータ３０Ａの認証用情報を用いてスマートメータ３０Ａとの間で通信を確立し、スマートメータ３０Ａから測定データを取得する（Ｓ４１６Ａ）。また、測定データ取得部１３０は、スマートメータ３０Ｂの認証用情報を用いてスマートメータ３０Ｂとの間で通信を確立し、スマートメータ３０Ｂから測定データを取得する（Ｓ４１６Ｂ）。
【００９０】
ここで、各スマートメータ３０から測定データを取得できた後は、認証用情報を不要となるため、通信装置１０の削除部１６０は、不要となった認証用情報を一時記憶領域１５０（メモリ１０３など）から削除する。これにより、個人の家に設置されるスマートメータ３０と通信可能とするための認証用情報（プライバシーに関わる情報）の漏洩リスクを低減させることができる。なお、図９では、各スマートメータ３０から測定データが取得できたタイミングで、該測定データを取得するために使用した認証用情報を一時記憶領域１５０（メモリ１０３など）から削除する処理を実行する例が示されている（Ｓ４１８Ａ、Ｓ４１８Ｂ）。但し、認証用情報を削除するタイミングは図９の例に限定されない。
【００９１】
例えば、削除部１６０は、スマートメータ３０の測定データを外部装置（サーバ装置４０など）に送信した後、当該外部装置からデータ受領確認信号を受信した場合に、その測定データを取得するために利用した認証用情報を一時記憶領域１５０（メモリ１０３など）から削除してもよい。このようにすることで、認証用情報の漏洩リスクを低減させると共に、サーバ装置４０がスマートメータ３０の測定データを確実に取得できたか否かを管理できる。例えば、サーバ装置４０に測定データを送信したにもかかわらず、サーバ装置４０からの受領確認信号を所定時間が経過しても受信できない場合、通信装置１０は、その測定データがサーバ装置４０に正常に届いていないと判断できる。この場合、測定データ取得部１３０はその測定データを再度送信する。
【００９２】
また例えば、削除部１６０は、ゴミ収集車（移動体２０）の現在位置情報に基づく所定の削除条件が満たされるか否かを判定し、当該削除条件を満たす場合に、一時記憶領域１５０（メモリ１０３など）に記憶されている認証用情報を削除するように構成されていてもよい。
【００９３】
例えば、削除部１６０は、ルート情報によって示されるルートの終点位置にゴミ収集車が到達したか否かを、ＧＰＳ計測器１０５１から得られるゴミ収集車の現在位置情報と、ルート情報とを比較して判定する。そして、削除部１６０は、ゴミ収集車がルートの終点位置まで到達したと判断すると、一時記憶領域１５０（メモリ１０３など）に記憶されている認証用情報を削除する。
【００９４】
また例えば、認証用情報にエリア情報（住所など）が対応付けられている場合、削除部１６０は、ゴミ収集車の現在位置とエリア情報が示す位置との対応関係を基に、一時記憶領域１５０に記憶されている認証用情報の中から、削除すべき認証用情報を判別することもできる。この場合、読出部１２０は、Ｓ４０６で、認証用情報と共に当該認証用情報に対応付けられているエリア情報（住所情報）を取得する。また、測定データ取得部１３０は、Ｓ４１６ＡやＳ４１６Ｂにおいて、無線通信時に既に使用した認証用情報、或いは、測定データが正常に取得されたスマートメータ３０に対応する認証用情報に、削除してもよいことを示すフラグ情報などを付与する。そして削除部１６０は、例えば「ゴミ収集車の現在位置情報に対応する住所と、取得したエリア情報が示す住所とが異なり、かつ、フラグ情報が付与されている」といった削除条件を満たす認証用情報が存在するか否かを判定し、当該削除条件を満たす認証用情報を、一時記憶領域１５０から削除する。
【００９５】
また上記に限らず、一時記憶領域１５０を揮発性メモリで構成し、電源供給がなくなった場合に、一時記憶領域１５０に記憶されているスマートメータ３０の認証用情報が削除されるようにしてもよい。これにより、通信装置１０を紛失、或いは、通信装置１０が盗まれた場合に、認証用情報が漏洩することを回避できる。
【００９６】
そして、通信装置１０の測定データ送信部１４０は、第２通信インタフェース１０７を介して、測定データ取得部１３０が取得した測定データをサーバ装置４０に送信する。通信装置１０の測定データ送信部１４０は、どのスマートメータ３０の測定データかをサーバ装置４０側で識別可能とするために、各スマートメータ３０の識別情報を対応付けた状態で測定データを送信する。測定データ送信部１４０は、例えば、測定データに紐付けられて各スマートメータ３０から送信されてくる各スマートメータ３０固有の情報（ＩＤなど）を、そのスマートメータ３０の識別情報として利用する。具体的には、通信装置１０の測定データ送信部１４０は、スマートメータ３０Ａの測定データをスマートメータ３０Ａの識別情報（ＩＤＡ）と対応付けて送信する（Ｓ４２０Ａ）。また、通信装置１０の測定データ送信部１４０は、スマートメータ３０Ｂの測定データをスマートメータ３０Ｂの識別情報（ＩＤＢ）と対応付けて送信する（Ｓ４２０Ｂ）。なお、図９の例に限らず、測定データ送信部１４０は、各スマートメータ３０の測定情報を一括して送信してもよい。
【００９７】
なお、サーバ装置４０におけるデータ解析処理は、第１実施形態で説明したとおりである。
【００９８】
〔作用・効果〕
以上、本実施形態によれば、第１実施形態と同様の作用・効果を得ることができる。
【００９９】
また、本実施形態では、スマートメータ３０との通信を確立するための認証用情報は、一時記憶領域１５０に一旦記憶され、スマートメータ３０から測定データを取得した後で削除される。これにより、通信装置１０がサービス利用者のスマートメータ３０の認証用情報を保持する時間が制限され、認証用情報の漏洩リスクに対するセキュリティ性を高めることができる。
【０１００】
以上、図面を参照して本発明の実施形態について述べたが、これらは本発明の例示であり、上記以外の様々な構成を採用することもできる。
【０１０１】
また、上述の説明で用いた複数のフローチャートやシーケンス図では、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【０１０２】
以下、参考形態の例を付記する。
１．
移動体に設けられる通信装置であって、
前記移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
を備える通信装置。
２．
前記位置関連情報取得手段は、前記移動体の現在位置を示す現在位置情報を前記位置関連情報として取得し、
前記読出手段は、前記移動体の現在位置情報を送信し、当該送信した前記移動体の現在位置情報に対して所定の条件を満たす位置情報が対応付けられている前記認証用情報を読み出す、
１．に記載の通信装置。
３．
前記読出手段は、
前記認証用情報を読み出した後、前記移動体の現在位置情報を送信することを一時停止し、
前記移動体の現在位置情報が所定の動作再開条件を満たした場合に、前記移動体の現在位置情報を送信することを再開する、
２．に記載の通信装置。
４．
前記読出手段は、
前記移動体の速度情報に基づいて、前記移動体が動いているか又は停止しているかを検出し、
前記移動体が動いていることを検出した場合に、前記移動体の現在位置情報を送信することを一時停止し、
前記移動体が停止していることを検出した場合に、前記移動体の現在位置情報を送信することを再開する、
２．に記載の通信装置。
５．
前記位置関連情報取得手段は、ＧＰＳ（Global Positioning System）を用いて前記移動体の現在位置情報を取得する、
２．乃至４．のいずれか１つに記載の通信装置。
６．
前記位置関連情報取得手段は、前記移動体が移動すべきルートを示すルート情報を前記位置関連情報として取得し、
前記読出手段は、前記ルート情報に対して所定の条件を満たす位置情報が対応付けられている前記認証用情報を読み出す、
１．に記載の通信装置。
７．
前記測定データ取得手段は、
前記ルート情報と前記移動体の現在位置情報に基づいて、前記読み出した認証用情報の中から前記無線通信に用いる前記認証用情報を絞り込む、
６．に記載の通信装置。
８．
前記読出手段が読み出した認証用情報を一時的に記憶する一時記憶領域と、
前記スマートメータの測定データが取得された後、当該測定データを取得するために利用した前記認証用情報を前記一時記憶領域から削除する削除手段と、を更に備える、
１．乃至７．のいずれか１つに記載の通信装置。
９．
前記削除手段は、
前記スマートメータの測定データが取得できたタイミングで、当該スマートメータの前記認証用情報を前記一時記憶領域から削除する、
８．に記載の通信装置。
１０．
前記削除手段は、
前記スマートメータの測定データを外部装置に送信した後、当該外部装置からデータ受領確認信号を受信した場合に、前記一時記憶領域から当該スマートメータの前記認証用情報を削除する、
８．に記載の通信装置。
１１．
前記削除手段は、
前記移動体の位置情報に基づく前記認証用情報の削除条件を満たすか否かを判定し、前記削除条件を満たす場合、前記一時記憶領域に記憶されている前記認証用情報を削除する、
８．に記載の通信装置。
１２．
前記削除手段は、
前記認証用情報に対応付けられた位置情報と、前記移動体の現在位置情報とに基づいて、前記一時記憶領域に記憶されている前記認証用情報の削除条件を満たすか否かを判断する、
１１．に記載の通信装置。
１３．
前記位置関連情報取得手段は、
前記移動体の速度情報に基づいて、前記移動体が停止したか否かを検出し、
前記移動体が停止したことを検出した場合に、前記位置関連情報を取得する、
１．乃至１２．のいずれか１つに記載の通信装置。
１４．
前記移動体はゴミ収集車である、
１．乃至１３．のいずれか１つに記載の通信装置。
１５．
移動体に設けられる通信装置が、
前記移動体の位置に関する位置関連情報を取得し、
前記位置関連情報に基づいて、スマートメータとの無線通信における認証用情報を読み出し、
前記認証用情報を用いて無線通信を行い、当該認証用情報に対応するスマートメータの測定データを取得する、
ことを含むデータ収集方法。
１６．
前記通信装置が、
前記移動体の現在位置を示す現在位置情報を前記位置関連情報として取得し、
前記移動体の現在位置情報を送信し、当該送信した前記移動体の現在位置情報に対して所定の条件を満たす位置情報が対応付けられている前記認証用情報を読み出す、
ことを更に含む１５．に記載のデータ収集方法。
１７．
前記通信装置が、
前記認証用情報を読み出した後、前記移動体の現在位置情報を送信することを一時停止し、
前記移動体の現在位置情報が所定の動作再開条件を満たした場合に、前記移動体の現在位置情報を送信することを再開する、
ことを更に含む１６．に記載のデータ収集方法。
１８．
前記通信装置が、
前記移動体の速度情報に基づいて、前記移動体が動いているか又は停止しているかを検出し、
前記移動体が動いていることを検出した場合に、前記移動体の現在位置情報を送信することを一時停止し、
前記移動体が停止していることを検出した場合に、前記移動体の現在位置情報を送信することを再開する、
ことを更に含む１６．に記載のデータ収集方法。
１９．
前記通信装置が、ＧＰＳ（Global Positioning System）を用いて前記移動体の現在位置情報を取得する、
ことを更に含む１６．乃至１８．のいずれか１つに記載のデータ収集方法。
２０．
前記通信装置が、
前記移動体が移動すべきルートを示すルート情報を前記位置関連情報として取得し、
前記ルート情報に対して所定の条件を満たす位置情報が対応付けられている前記認証用情報を読み出す、
ことを更に含む１５．に記載のデータ収集方法。
２１．
前記通信装置が、
前記ルート情報と前記移動体の現在位置情報に基づいて、前記読み出した認証用情報の中から前記無線通信に用いる前記認証用情報を絞り込む、
ことを更に含む２０．に記載のデータ収集方法。
２２．
前記通信装置が、
前記読み出した認証用情報を一時的に記憶する一時記憶領域を備え、
前記スマートメータの測定データが取得された後、当該測定データを取得するために利用した前記認証用情報を前記一時記憶領域から削除する、
ことを更に含む１５．乃至２１．のいずれか１つに記載のデータ収集方法。
２３．
前記通信装置が
前記スマートメータの測定データが取得できたタイミングで、当該スマートメータの前記認証用情報を前記一時記憶領域から削除する、
ことを更に含む２２．に記載のデータ収集方法。
２４．
前記通信装置が、
前記スマートメータの測定データを外部装置に送信した後、当該外部装置からデータ受領確認信号を受信した場合に、前記一時記憶領域から当該スマートメータの前記認証用情報を削除する、
ことを更に含む２２．に記載のデータ収集方法。
２５．
前記通信装置が、
前記移動体の位置情報に基づく前記認証用情報の削除条件を満たすか否かを判定し、前記削除条件を満たす場合、前記一時記憶領域に記憶されている前記認証用情報を削除する、
ことを更に含む２２．に記載のデータ収集方法。
２６．
前記通信装置が、
前記認証用情報に対応付けられた位置情報と、前記移動体の現在位置情報とに基づいて、前記一時記憶領域に記憶されている前記認証用情報の削除条件を満たすか否かを判断する、
ことを更に含む２５．に記載のデータ収集方法。
２７．
前記通信装置が、
前記移動体の速度情報に基づいて、前記移動体が停止したか否かを検出し、
前記移動体が停止したことを検出した場合に、前記位置関連情報を取得する、
ことを更に含む１５．乃至２６．のいずれか１つに記載のデータ収集方法。
２８．
前記移動体はゴミ収集車である、
ことを更に含む１５．乃至２７．のいずれか１つに記載のデータ収集方法。
２９．
移動体に設けられる通信装置を、
前記移動体の位置に関する位置関連情報を取得する位置関連情報取得手段、
前記位置関連情報に基づいて、スマートメータとの無線通信における認証用情報を読み出す読出手段、
前記認証用情報を用いて無線通信を行い、当該認証用情報に対応するスマートメータの測定データを取得する測定データ取得手段、
として機能させるためのプログラム。
３０．
前記通信装置を、
前記移動体の現在位置を示す現在位置情報を前記位置関連情報として取得する手段、
前記移動体の現在位置情報を送信し、当該送信した前記移動体の現在位置情報に対して所定の条件を満たす位置情報が対応付けられている前記認証用情報を読み出す手段、
として更に機能させるための２９．に記載のプログラム。
３１．
前記通信装置を、
前記認証用情報を読み出した後、前記移動体の現在位置情報を送信することを一時停止し、
前記移動体の現在位置情報が所定の動作再開条件を満たした場合に、前記移動体の現在位置情報を送信することを再開する手段、
として更に機能させるための３０．に記載のプログラム。
３２．
前記通信装置を、
前記移動体の速度情報に基づいて、前記移動体が動いているか又は停止しているかを検出し、
前記移動体が動いていることを検出した場合に、前記移動体の現在位置情報を送信することを一時停止し、
前記移動体が停止していることを検出した場合に、前記移動体の現在位置情報を送信することを再開する手段、
として更に機能させるための３０．に記載のプログラム。
３３．
前記通信装置を、
ＧＰＳ（Global Positioning System）を用いて前記移動体の現在位置情報を取得する手段、
として更に機能させるための３０．乃至３２．のいずれか１つに記載のプログラム。
３４．
前記通信装置を、
前記移動体が移動すべきルートを示すルート情報を前記位置関連情報として取得し、
前記ルート情報に対して所定の条件を満たす位置情報が対応付けられている前記認証用情報を読み出す手段、
として更に機能させるための２９．に記載のプログラム。
３５．
前記通信装置を、
前記ルート情報と前記移動体の現在位置情報に基づいて、前記読み出した認証用情報の中から前記無線通信に用いる前記認証用情報を絞り込む手段、
として更に機能させるための３４．に記載のプログラム。
３６．
前記通信装置は前記読出手段が読み出した認証用情報を一時的に記憶する一時記憶領域を備えており、
当該通信装置を、
前記スマートメータの測定データが取得された後、当該測定データを取得するために利用した前記認証用情報を前記一時記憶領域から削除する削除手段、
として更に機能させるための２９．乃至３５．のいずれか１つに記載のプログラム。
３７．
前記通信装置を、
前記スマートメータの測定データが取得できたタイミングで、当該スマートメータの前記認証用情報を前記一時記憶領域から削除する手段、
として更に機能させるための３６．に記載のプログラム。
３８．
前記通信装置を、
前記スマートメータの測定データを外部装置に送信した後、当該外部装置からデータ受領確認信号を受信した場合に、前記一時記憶領域から当該スマートメータの前記認証用情報を削除する手段、
として更に機能させるための３６．に記載のプログラム。
３９．
前記通信装置を、
前記移動体の位置情報に基づく前記認証用情報の削除条件を満たすか否かを判定し、前記削除条件を満たす場合、前記一時記憶領域に記憶されている前記認証用情報を削除する手段、
として更に機能させるための３６．に記載のプログラム。
４０．
前記通信装置を、
前記認証用情報に対応付けられた位置情報と、前記移動体の現在位置情報とに基づいて、前記一時記憶領域に記憶されている前記認証用情報の削除条件を満たすか否かを判断する手段、
として更に機能させるための３９．に記載のプログラム。
４１．
前記通信装置を、
前記移動体の速度情報に基づいて、前記移動体が停止したか否かを検出し、
前記移動体が停止したことを検出した場合に、前記位置関連情報を取得する手段、
として更に機能させるための２９．乃至４０．のいずれか１つに記載のプログラム。
４２．
前記移動体はゴミ収集車である、
２９．乃至４１．のいずれか１つに記載のプログラム。
４３．
通信装置と、サーバ装置とを有する安否確認システムであって、
前記通信装置は、
移動体の位置に関する位置関連情報を取得する位置関連情報取得手段と、
前記位置関連情報に基づいて、スマートメータとの無線通信における認証用情報を読み出す読出手段と、
前記認証用情報を用いて無線通信を行い、当該認証用情報に対応するスマートメータの測定データを取得する測定データ取得手段と、
前記測定データを、当該スマートメータの識別情報と対応付けて外部装置に送信する測定データ送信手段と、を備え、
前記サーバ装置は、
前記スマートメータの識別情報と対応付けて前記外部装置に送信された測定データのデータパターンを解析する測定データ解析手段と、
前記解析されたデータパターンが、予め定義された異常なパターンを示すか否かを判定し、前記解析されたデータパターンが前記異常なパターンを示す場合に、前記スマートメータの識別情報と紐付けられた連絡先に対して所定の報知情報を送信する異常報知手段と、を備える、
安否確認システム。
【符号の説明】
【０１０３】
１０００  安否確認システム
１０  通信装置
１０１  バス
１０２  プロセッサ
１０３  メモリ
１０４  ストレージ
１０５  入出力インタフェース
１０５１  ＧＰＳ計測器
１０６  第１通信インタフェース
１０７  第２通信インタフェース
１１０  位置関連情報取得部
１２０  読出部
１３０  測定データ取得部
１４０  測定データ送信部
１５０  一時記憶領域
１６０  削除部
２０  移動体
３０  スマートメータ
３１０  送受信部
３２０  測定データ記憶部
４０  サーバ装置
４０１  バス
４０２  プロセッサ
４０３  メモリ
４０４  ストレージ
４０５  入出力インタフェース
４０６  通信インタフェース
４１０  認証用情報送信部
４２０  認証用情報記憶部
４３０  測定データ解析部
４４０  異常報知部
５０  ユーザ端末
５１０  受信部
５２０  表示処理部
【図１】
0006740731.tif 000002
【図２】
0006740731.tif 000003
【図３】
0006740731.tif 000004
【図４】
0006740731.tif 000005
【図５】
0006740731.tif 000006
【図６】
0006740731.tif 000007
【図７】
0006740731.tif 000008
【図８】
0006740731.tif 000009
【図９】
0006740731.tif 000010
【図１０】
0006740731.tif 000011